(57)【要約】      （修正有）【課題】天候を感知し植物などへの灌水に於いて、適量の灌水の調整を容易に行え、又装置の能力を効率化することにより、節水及び装置の小型簡素化する事で、安価で設置条件の制約が少ない灌水装置を提供する。【解決手段】パスカルの原理を応用した機構で倍力化した弁閉力により異なる水源圧に対応し弁を閉め、天候の変化に対応する蒸発現象を利用し弁を開け、自動的に天候に合った最適水量の灌水を行う、蒸発利用自動灌水装置を提供する。【選択図】図１
2010239945.tif 000002
【特許請求の範囲】
【請求項１】
加圧タンク7の一方に蒸発部11他方に注水機構を設け、パスカルの原理を応用し注水側の加圧水位管5の断面積に対し、加圧タンク7内の受圧板9の面積を対比させることにより、倍力化した弁閉力により主弁2を閉める構造を形成し、水源側1の水は調整器3を経て灌水と同時に調整弁4から加圧水位管5に注水し、加圧タンク7内の水量が増加し受圧板9の上部に有する弁制御装置12及び主弁2を押し上げ灌水は停止し、更に注水量の調整可能な調整器3の調整した水量が受圧板9に倍力の弁閉力を加え、主弁2が所定位置に上がると、弁制御装置12により主弁2が閉まった状態を持続することにより、断続作動が生じることを特徴とする蒸発利用自動灌水装置。  
【請求項２】
加圧タンク7に接続する蒸発水管10の毛細管現象を利用し、蒸発部11に吸水した水は天候状況に応ずる蒸発により、加圧タンク7内の水量が減少し加圧タンク7内にある受圧板9は下がるが、主弁2は弁制御装置12により閉じた状態を維持し、更に受圧板9が所定の高さに下がると、主弁2は開き注水と同時に灌水が始まりこのタイミングに灌水量の調整が調整弁4により行えることを特徴とする請求項1の蒸発利用自動灌水装置。
【請求項３】
調整の行えるタイミングの予測を可能とするため加圧水管5は透明素材に目印を設け、注水を集めるため加圧水管5の上部に、受け口14を設け注水の状況の視認及び、風と埃等の浸入防止のため、注水口13と受け口14を覆う透明素材のカバーを設けることを特徴とする請求項1、2の蒸発利用自動潅水装置。  
【請求項４】
請求項1、2、3の、調整器3の代わりに加圧器17を設け、調整弁4を経て加圧水位管5の代わりに加圧管16を設け、加圧タンク7に加圧器17と加圧管16を連通接続することで、水源の水圧を主弁2の弁閉力に加えることを可能とし、主弁2の閉じた後の加圧タンク7への注水量は、逆支弁19を設け空気の弾力又は弾力材から得られる圧力を利用した、注水量の調整可能な加圧器17により更に弁閉力を加え、調整弁4の調整タイミングと注水量は、加圧タンク7の水量を表示する水量計18に設けた目盛りにより行えることを特徴とする請求項４の蒸発利用自動灌水装置。
【発明の詳細な説明】
【技術分野】
【０００１】
天候の変化に従って植物及び建築物の緑化及び冷却などに、自動的に適量の灌水を可能とする灌水装置に関する。
【背景技術】
【０００２】
天候感知による植物給水装置において設置する際の、接続する水源の水圧に対応するためには、主弁の内径を小さくするか又は装置本体を大型化により弁閉力を大きくしなければならないため設置場所などの制約があった。（実用新案文献1参照）
【先行技術文献】
【特許文献】
【０００３】
【特許文献１】登録実用新案第３１２１４６４号公報
【発明の概要】
【発明が解決しようとする課題】
【０００４】
地植え以外の鉢植え及びプランター等の容器植え植物の多くは、灌水量の少ないほうが良好な健康状態を維持し、逆に灌水量の多い場合は根腐れ等の障害が生じやすい、又灌水が止まると植物に致命的な障害を与える場合もある、植物の必要灌水量は天候状態により大きな差が有るため、天候に応じた適量の灌水を行うことを課題とする。
【０００５】
従来の容器植え植物への灌水は継続的に行うものが一般的で、最適な灌水量にするためには天候の状況による調整と、容器内の用土と植物の状態の点検及び多数回の調整を繰り返す必要があり、或いは高度な調整技術が要求されるため困難で、多くの時間が必要となることから初心者には敬遠されることが多く、本発明は調整タイミングを断続的に生じせしめ、更にそのタイミングを知らせることにより、最適量の灌水量調整を容易に行えることを課題とする。  
【０００６】
水源設備の無い集合住宅のベランダなどの、容器植え植物への灌水を貯水タンクによる場合と、水道などの水源設備を利用する場合の水圧は大きく異なり、その水圧に効率的に対応し形状の簡素化及び小型化、更に節水効果も可能とすることで、設置及び維持管理の制約を少なくすることを課題とする。
【課題を解決するための手段】
【０００７】
パスカルの原理を応用し、注水側の面積と加圧タンク内の受圧板の面積を対比させた受圧板により、倍力化した弁閉力により水源の高い水圧に対応し、装置の外側に設けた蒸発部による天候に応じた蒸発を利用し、灌水と注水を弁制御装置により弁の開閉を断続的な作動とすることにより、灌水量の調整を容易にするための調整タイミングを生じせしめる。
【発明の効果】
【０００８】
本発明は天候を感知するための蒸発水量が少量でも、少量から多量の灌水が可能となり、又異なる水源の水圧に対応する倍力化した弁閉力が得られ、弁開閉の作動部を内側に納めるにより、小型化で簡素な機構及び形状とすることが可能となり、外部からの障害を減少
することにより設置場所の制約も少なく出来る。  
【０００９】
断続灌水により調整タイミングを視認可能とし、注水時間を調整することで灌水量の調整が容易に出来ることにより、住宅のベランダ等の草花から、工作物特に建築物などの緑化及び冷却用の、天候に対応する灌水が可能で、従来の手段より設置費の削減及び節水効果も得られる。
【図面の簡単な説明】
【００１０】
【図１】本発明の実施例1に係る蒸発利用自動灌水装置を示す概念図である。
【図２】本発明の実施例2に係る蒸発利用自動灌水装置を示す概念図である。
【図３】実施例1及び実施例2に於ける共通の弁制御装置を示す概念図である。
【発明を実施するための形態】
【００１１】
パスカルの原理を応用し水源のことなる水圧に対応する蒸発利用自動灌水装置である。
【実施例】
【００１２】
以下に本発明に係る蒸発利用自動灌水装置による、灌水装置の好適な実施形態を添付図る参照し詳述する。図１は本発明の実施例1に係る蒸発利用自動灌水装置を示す概念図である、水源側1から主弁2を経て調整器３に蓄えると同時に灌水及び調整弁4から加圧水位管5に注水し、弾力伸縮材からなるダイアフラム8で密閉した加圧タンク7内にある受圧板9により、弁制御装置12を押し上げ主弁2が閉じ灌水は停止する。
【００１３】
パスカルの原理を応用した、加圧水位管5の断面積に対して面積を大きくした受圧板9により倍力した弁閉力と、容量調整可能な調整器3で調整した注水量により、加圧水位管5の水位の高さを変え、異なる水源の水圧に対応出来る弁閉力を加え、主弁2が閉じた後も注水し、主弁2は所定高さに上昇すると、弁制御装置12により閉じた状態を持続しその間注水は停止する。
【００１４】
注水停止の間も加圧タンク7内の水は、加圧タンク7より吸水素材を装入した毛細管現象を利用する蒸発水管10から、吸水素材からなる蒸発部11へ上昇し、天候の変化に応じた蒸発により減少し、受圧板9は弁制御装置12により所定高さに下がると、再び主弁2は開き灌水と注水が始まることにより断続作動となる。
【００１５】
灌水量の調整は灌水と注水は同時進行のため、調整弁4により注水所要時間の調整をすることで行う、調整弁4の調整好機は透明な加圧水位管5内の水位が下がり、主弁2が開く直前の位置に、調整するタイミングの高さを加圧水位管５に目盛りを設けることにより予測が可能となる、調整弁４の調整は注水口13から水が出始めた時を目視により行う。
【００１６】
風及び埃などの影響を防ぐため注水口13と受け口14はカバー内に納める形状とし、弁制御装置12などの作動部は受圧板9の中芯に位置するため、外部からの障害は受けにくい構造となる、蒸発部11は天候を感知する外側に位置するため交換は容易である、又防苔及び防腐防黴などの処理をすることにより耐久性を高め交換の頻度も少なく出来る。
【００１７】
図3は弁制御装置12の作動を示す図である、弁棒体20の下部を筒形とし内部に支柱30の上部が挿入し支柱30が上昇時のみ弁棒体20を押し上げる形状で、支柱30の最下部は受圧板9の中芯に有り、上腕26と下腕27は軸Ｂ24を支点とし、下腕27の下部は支柱30下部に有る軸Ｃ25により支持し、上腕26は掛腕22と同軸Ａ23により本体に保持し、掛腕22の上方はバネ押し方向29に示す弁棒体20の側面を習う方向に押され、掛腕22の下方は掛腕当28で回転角を制限する構成である。    
【００１８】
図3のＡは、加圧タンク7内の受圧板9は注水により上昇工程で、掛腕22はバネに押し方向２9により押され弁棒体20側面を習い、更に受圧板9及び弁棒体20が上昇すると図3のＢに示す様に掛腕22の上部は弁棒下端21に入る方向に傾き主弁2は閉じ、設定量の注水が止まると加圧タンク7内の水量は蒸発により減少するが、弁棒下端21は掛腕22により主弁2が閉じた状態を持続し、断続的な注水及び灌水のタイミングが得られる、加圧タンク7内の水量が蒸発により減少すると、図3のＣは受圧板9及び下腕27所定の高さ迄引き下げられ、軸Ｂ24を支点に上腕26により掛腕当28に当り掛腕22は共に開くことにより、主弁2及び弁棒体20は一挙に降下し再び灌水と注水が開始するサイクルとなる。        
【００１９】
図2本発明の実施例2に係る蒸発利用自動灌水装置を示す概念図は、調整弁4から直接加圧管16を経て加圧タンク7に注水することで、水源の水圧も弁閉力に利用出来るため装置の小型化が可能となる形態で、水源側1から主弁２を経て調整可能な加圧器17に設けた逆支弁19により所定水量を蓄えると同時に灌水し、調整弁4から連通する加圧管16を経て加圧タンク7に注水し、実施例1と同様受圧板9により倍力し弁制御装置12を押し上げ主弁２を閉じる機構である。
【００２０】
主弁２が閉じた後も空気の弾力利用又は弾力材からなる容量調整可能な、加圧器17で調整した水量は、受圧板9へ水源の異なる水圧に対応する弁閉力を加える、蒸発部11から天候の変化に応じた蒸発により、加圧タンク7内は設定した水量に減少するまで、主弁2は弁制御装置12により開かない、調整弁４の調整は水量計18に示す設定位置へ受圧板9が下がったタイミングが調整好機となる。
【００２１】
実施例2の水量計18は本体外側に調整弁4の調整好機を示す表示板31を設け、軸Ｄ32の端部は本体外部に表示板31を指す指針33を取り付け、内部に巻線34を軸Ｄ32に巻き、巻線34の下端を受圧板9に取り付け、上方を引きスプリング35に繋ぎスプリング35は本体で保持し、受圧板9の上下動を軸Ｄ32の回転に変え指針33は受圧板9の設定位置を示す、又表示板31の外側に指針33を護保するため窓36を設ける機構である。
【符号の説明】
【００２２】
1    水源側                          
2    主弁
3    調整器
4    調整弁
5    加圧水位管
6    排水弁
7    加圧タンク
8    ダイアフラム
9    受圧板
10    蒸発水管
11    蒸発部
12    弁制御装置
13    注水口  
14    受け口
15    灌水側
16    加圧管
17    加圧器
18    水量計
19    逆止弁
20    弁棒体
21    弁棒下端
22    掛腕
23    軸Ａ
24    軸Ｂ
25    軸Ｃ
26    上腕
27    下腕
28    掛腕当
29    バネ押し方向
30    支柱
31    表示板
32    軸Ｄ  
33    指針
34    巻線  
35    スプリング  
36    窓
【図１】
2010239945.tif 000003
【図２】
2010239945.tif 000004
【図３】
2010239945.tif 000005
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
加圧タンク7の一方に蒸発部11他方に注水機構を設け、パスカルの原理を応用し注水側の加圧水位管5の断面積に対し、加圧タンク7内の受圧板9の面積を大きくすることにより、倍力化した弁閉力により主弁2を閉める構造を形成し、水源側1の水は調整器3を経て灌水と同時に調整弁4から加圧水位管5に注水し、加圧タンク7内の水量が増加し受圧板9の上部に有する弁制御装置12及び主弁2を押し上げ灌水は停止し、更に注水量の調整可能な調整器3の調整した水量が受圧板9に倍力の弁閉力を加え、主弁2が所定位置に上がると、弁制御装置12により主弁2が閉まった状態を持続することにより、断続作動が生じるように構成し更に、加圧タンク7に接続する蒸発水管10の毛細管現象を利用し、蒸発部11に吸水した水は天候状況に応ずる蒸発により、加圧タンク7内の水量が減少し加圧タンク7内にある受圧板9は下がるが、主弁2は弁制御装置12により閉じた状態を維持し、更に受圧板9が所定の高さに下がると、主弁2は開き注水と同時に灌水が始まりこのタイミングに灌水量の調整が調整弁4により行えることを特徴とする蒸発利用自動灌水装置。
【請求項２】
灌水量の調整の行えるタイミングの予測を可能とするため加圧水管5は透明素材に目印を設け、注水を集めるため加圧水管5の上部に、受け口14を設け注水の状況の視認及び、風と埃等の浸入防止のため、注水口13と受け口14を覆う透明素材のカバーを設ける調整弁4による調整方法は、時間当たりの注水量を多く調整すると灌水時間が減少するため灌水量は減少することを特徴とする請求項1の蒸発利用自動灌水装置。
【請求項３】
請求項1又は2に記載の蒸発利用自動灌水装置において、調整器３の代わりに加圧器17を設け、調整弁4を経て加圧水位管5の代わりに加圧管16を設け、加圧タンク7に加圧器17と加圧管16を連通接続することで、水源の水圧を主弁2の弁閉力に加えることを可能とし、主弁2の閉じた後の加圧タンク7への注水量は、逆止弁19を設け空気の弾力又は弾力材から得られる圧力を利用した、注水量の調整可能な加圧器17により更に弁閉力を加え、調整弁4の調整タイミングと注水量は、加圧タンク7の水量を表示する水量計18に設けた目盛りにより行えることを特徴とする蒸発利用自動灌水装置。